(57)【要約】【課題】投射型表示装置の反射板に、表面に金属を塗膜した表面鏡を用いた場合、反射面の金属が露出しており、腐食するなどの耐久性に問題がある。また、金属の反射面に保護膜を塗布した裏面鏡を反射板に用いた場合、表面と裏面の反射のため２重像が問題となる。【解決手段】投射器から投射される投射像を反射板で反射し、スクリーンに投射像を映す投射型表示装置において、反射板に、板厚２ｍｍ以下の透明基板に反射膜を塗布した裏面鏡を用いる。さらに、裏面鏡の反射膜面側を接着剤で補強部材で支持する。【選択図】  図１
2004325951.tif 000002
【特許請求の範囲】
【請求項１】
投射器から投射される投射像を反射板で反射し、スクリーンに投射像を映す投射装置において、反射板が、板厚２ｍｍ以下の透明基板に反射膜を塗布し、反射膜面を補強部材で支持したことを特徴とする投射型表示装置。
【請求項２】
補強部材が、投射表示装置の筐体であることを特徴とする請求項１に記載の投射型表示装置。
【発明の詳細な説明】
【０００１】
【発明の属する技術分野】
本発明は、投射器と反射板とスクリーンとからなる投射型表示装置に関する。
【０００２】
【従来の技術】
画像表示装置として、従来からブラウン管直視方式がある。近年デジタルビデオディスクやＢＳ放送の普及に伴い、大型画面の要求が高くなってきたが、要求される大面積を、ブラウン管直視方式で満足させることは非常に困難である。
【０００３】
最近、画面を５０インチ以上の大画面にしてもほとんど奥行きのいらない、ＰＤＰ（プラズマディスプレイパネル）や液晶表示パネルなどが普及しつつあるが、非常に高価である。
【０００４】
ブラウン管直視方式やＰＤＰとは異なる表示方式として、表示画像をスクリーンに投射して、大画面を見られるようにする、投射型表示装置がある（特許文献１、２、３）。
【０００５】
図１は、投射型表示装置１の構成を示す概略図である。投射器２は、液晶表示器などが用いられる。投射器１の表示光７は、反射板３で反射してスクリーン４に投射される。
【０００６】
反射板３は、表示器２の表示光を直接スクリーン４に投射する場合に比較し、歪みのない大面積表示を得るうえで、投射型表示装置１の奥行きを小さく出来るという効果がある。
【０００７】
【特許文献１】
特開２００２−１７４８５３号公報
【特許文献２】
特開２０００−２４１８７７号公報
【特許文献３】
特開平６−１１３２３８号公報
【０００８】
【発明が解決しようとする課題】
反射板に、表面に金属を塗膜した表面鏡を用いた場合、反射面の金属が露出しており、腐食するなどの耐久性に問題がある。また、金属の反射面に保護膜を塗布した裏面鏡を反射板に用いた場合、表面と裏面の反射のため２重像が問題となる。裏面鏡の２重像を解消するために、板厚の小さい裏面強を用いると、裏面鏡がたわんで、反射像がゆがんでしまう。
【０００９】
【課題を解決するための手段】
本発明の投射型表示装置は、投射器から投射される投射像を反射板で反射し、スクリーンに投射像を映す投射型表示装置において、反射板が、板厚２ｍｍ以下の透明基板に反射膜を塗布し、反射膜面を補強部材で支持したことを特徴とする投射型表示装置である。
【００１０】
また、本発明の投射型表示装置は、前記投射型表示装置において、補強部材が、投射表示装置の筐体であることを特徴とする投射型表示装置である。
【００１１】
【発明の実施の形態】
図１は、本発明の投射型表示装置１の構成を示す断面図である。投射型表示装置１は、主に投射器２と反射板３とスクリーン４で構成されている。
【００１２】
反射板３は、図２に示すように、透明基板１０の裏面に反射膜１１が塗布された裏面鏡を、補強板１３に接着材１２で一体化することにより、反射膜面を補強部材１３で支持してなるものである。
【００１３】
図３に示すように、反射板３に裏面鏡を用いると、表示光は、透明基板１０の表面で反射される表示光（イ）と、透明基板１０の裏面に形成された反射膜１１で反射される表示光（ロ）とがあるため、２重像となる。
【００１４】
２重像は、表示光（イ）と表示光（ロ）との光路差ｄｓが大きいほど問題になる。光路差ｄｓは、表示光の屈折角θ２が小さいほど、また、透明基板１０の板厚ｔが小さいほど、小さくなる。
【００１５】
屈折角θ２を小さくすることは、透明基板１０への表示光の入射角θ１を小さくすることであり、投射器２を反射板３から水平方向に遠ざけるため、投射型表示装置１の奥行きを大きくするので、好ましくない。
【００１６】
本発明の投射型表示装置１は、透明基板１０の板厚ｔを薄くすることにより、投射型表示装置１を大きくすることなく、２重像の解消を図るものである。
【００１７】
透明基板１０の屈折率を１．５２とすると、表示光の入射角θ１と板厚ｔに対して、光路差ｄｓは表１のようになる。
【００１８】
【表１】
2004325951.tif 000003
【００１９】
一方、視力１．０の人がスクリーンから２ｍ、４ｍおよび６ｍ離れた位置で表示を見るとき、表示に対する分解能は、表２のようになる。
【００２０】
【表２】
2004325951.tif 000004
【００２１】
表１と表２の値を、グラフにプロットしたものが図４である。波線ａ、ｂおよびｃは、それぞれ、視力１．０の人が、６ｍ、４ｍおよび２ｍ離れた位置で表示を見たときの分解能である。また、実線▲１▼、▲２▼、▲３▼および▲４▼は、それぞれ表示光の反射板３への入射角θ１が、３０度、３５度、４０度および４５度のときの光路差ｄｓである。
【００２２】
透明基板１０の板厚ｔが２．５ｍｍの場合、表示光の入射角が３０度から４５度の範囲で、全ての場合、光路差ｄｓが、視力１．０の人の６ｍ離れた位置での分解能１．７ｍｍを越えてしまい、２重像が分かってしまうので、実用するのは大変困難である。
【００２３】
透明基板１０の板厚ｔが２．０ｍｍの場合は、入射角θ１を３５度以下にすれば、数ｍ離れた位置で、２重像が分からないようになるので、実用に供することが可能である。したがって、実用的には、透明基板の板厚ｔは、２．０ｍｍ以下にすることが好ましい。
【００２４】
さらに、大画面に表示されている表示像を見るのに、４ｍ程離れた位置で表示を見ることを想定すると、２重像が分からないようにするためには、透明基板の板厚ｔは、１．０ｍｍ以下とすることがより好ましい。
【００２５】
透明基板１０は、薄いほど２重像が分からなくなるが、取り扱い安さから０．３ｍｍ以上とすることが好ましい。
【００２６】
透明基板１０には、透明なガラス板、プラスティック板等を用いることができる。熱膨張を考慮すると、プラスティック板よりもガラス板の方を用いることが好ましい。
【００２７】
透明基板１０に反射膜１１を塗布する。反射膜１１は、銀、ステンレス鋼、アルミニウム、銅、ニッケル、クロム等の金属膜に、金属膜を保護するための保護膜を積層したものである。
【００２８】
保護膜には、アルキッド系樹脂、エポキシ系樹脂、ウレタン系樹脂等各種耐食性樹脂に、酸化鉄、酸化亜鉛、鉛化合物その他の耐食顔料、および各種充填剤を混入した塗料からなる塗膜が用いられる。
保護膜を積層しているため、金属膜の酸化や腐食がほとんど生じることが無く、反射板３の反射膜１１は、耐久性に優れている。
【００２９】
透明基板１０には、２重像を解消するために、板厚ｔが２ｍｍ以下の薄い板を用いるため、図１に示すように、透明基板１０を斜めにして支持すると、自重でたわみ、反写像を歪ませてしまう。
【００３０】
透明基板１０の自重によるたわみを小さくし、反射板のたわみによる表示像の歪みを小さくするために、補強部材１３を用いることが望ましい。反射膜１１を塗布した透明基板１０は、反射膜１１が塗布されている面を補強部材１３に接着材１２を用いて一体化する。補強部材１３を用いることによって、反射板３のたわみが小さいため、反射板３が取り扱いやすくなり、投射型表示器１の組み立ても容易になる。
【００３１】
補強部材１３には板状体のものを用いることが好ましく、透明基板１０にガラス板を用いる場合は、板厚が３ｍｍ以上のガラス板を用いることが望ましい。また、補強部材１３に、反射型表示装置１の筐体５を用いてもよい。
【００３２】
さらに、補強部材１３には、透明基板１０と同じ材質のものを用いることが、熱膨張による透明基板１０と補強部材１３とのズレが生じないので、好ましい。
【００３３】
接着剤１２には、両面接着テ−プ、ポリビニルブチラ−ル（ＰＶＢ）やエチレン酢酸ビニル共重合体（ＥＶＡ）等の合わせガラスに用いられている中間膜を用いることができる。
【００３４】
【実施例】
以下、図面を参照しながら本発明を詳細に説明する。
【００３５】
図２に示す反射板３を次のようにして製作した。
透明基板１０には、サイズ７４２ｍｍ×５１２ｍｍ、板厚１ｍｍの透明なガラス板を用いた。反射膜１１は、反射金属膜としてＡｇを塗布し、さらにＡｇの上に腐食防止のために銅の膜を形成した後、エポキシ系樹脂でなる保護膜を塗布した膜構成のものを用いた。反射膜１１に、接着剤１２として、幅２０ｍｍ長さ５００ｍｍの両面接着テ−プを５本等間隔に貼り、サイズ７４４ｍｍ×５１４ｍｍ、板厚３ｍｍのガラス板でなる補強部材１３に、前記両面テ−プを介して一体化した。反射板３の反射率は、９５％であった。
【００３６】
この反射板３を、図１に示す投射型表示装置１に用い、投射器２に液晶プロジェクターを用い、スクリ−ン４に像を表示したところ、２重像の分からない、明るい表示をすることができた。透明基板１０の板厚ｔが１ｍｍと薄いものを用いたにもかかわらず、補強部材１３によって、反射板のたわみは小さく、表示像の歪みはほとんどなかった。
【００３７】
【発明の効果】
本発明の反射型表示装置は、反射膜に保護膜を積層した耐久性のよい裏面鏡を用い、２重像のない反射型表示装置を提供する。
【図面の簡単な説明】
【図１】投射型表示器の構成を示す概略図である。
【図２】本発明による反射板の構成を示す断面図である。
【図３】２重像を説明する概念図
【図４】透明板の板厚と光路差の関係を示すグラフである。
【符号の説明】
１    投射型表示器
２    投射器
３    反射板
４    スクリーン
５    筐体
６    支持具
１０  透明板
１１  反射膜
１２  接着剤
１３  補強部材
【図１】
2004325951.tif 000005
【図２】
2004325951.tif 000006
【図３】
2004325951.tif 000007
【図４】
2004325951.tif 000008